(57)【特許請求の範囲】
【請求項１】
ケース本体から突出してラッチ受けに係止する飛び出し位置と、飛び出し位置から回転してケース本体内に収没する回転位置と、飛び出し位置からケース本体内に収没する沈降位置との間で移動可能で、飛び出し位置側に付勢されるラッチと、
回転摘みにより回転操作され、解錠回転位置においてのみラッチの回転経路を開放してラッチの回転位置への移行を許容する回転ブロック体と、
ラッチの往復動作により回転ブロック体を間欠回転させてラッチの回転経路を閉鎖する間欠作動体とを有し、
ラッチ受けへの係止操作時に施錠状態に自動移行させる回転式施錠装置。
【請求項２】
前記回転ブロック体は、回転摘みに連結される第１の回転体と、
第１の回転体に同心に配置され、第１の回転体に対して所定角度空転可能な第２の回転体とを有するとともに、
少なくとも第２の回転体は、間欠作動体による間欠回転操作が可能であり、
前記第１、および第２の回転体の後端面に形成された切欠を解錠回転位置においてラッチの回転経路に臨ませることによりラッチの回転位置への移行を許容する請求項１記載の回転式施錠装置。
【請求項３】
前記第１、および第２の回転体は、ケース本体内に配置される板バネに圧接する正多角形状のクリック発生部を備え、
前記間欠作動体の送りピッチにほぼ合致するピッチで節度回転する請求項２記載の回転式施錠装置。
【請求項４】
前記間欠作動体は、係止部においてラッチに係止してラッチの移動に伴って移動し、
かつ、前記第１、および第２の回転体の外周に形成された送り爪の回転軌道外に退避する位置から第１または第２の回転体を横切り、移動経路上で送り爪に係止して第１、および第２の回転体を間欠回転させる一対の操作部を有してなる請求項２または３記載の回転式施錠装置。
【請求項５】
前記各操作部は第１、および第２の回転体の回転中心を挟んで反対位置に配置され、
ラッチの移動に際して第１、および第２の回転体を互いに逆回転させる請求項４記載の回転式施錠装置。
【請求項６】
前記ラッチは、ケース本体に設けられ、飛び出し位置側のストローク終端を規制するガイド軸に沿って移動可能であり、
かつ、ラッチは、ガイド軸に巻装され、飛び出し位置からの回転位置、および沈降位置への双方の移行方向に際して巻き込み方向に撓み変形するトーションスプリングにより飛び出し位置側に付勢される請求項１ないし５のいずれかに記載の回転式施錠装置。
【請求項７】
前記ケース本体の後端面には係止ボスが突設され、該係止ボスとラッチとに掛けられる適宜の締結具によりラッチを回転位置に拘束可能な請求項１ないし６のいずれかに記載の回転式施錠装置。
【発明の詳細な説明】
【０００１】
【発明の属する技術分野】
本発明は、回転式施錠装置に関するものである。
【０００２】
【従来の技術】
回転摘みを回転操作することによりラッチのラッチ受けからの係止解除、禁止を選択するようにした回転式施錠装置としては、従来、実公平６−１９００３号公報に記載されたものが提案されている。
【０００３】
この従来例において、外筒内には回転摘みにより回転操作される外タンブラと内タンブラとが収容され、これら外タンブラと内タンブラの端部に形成された長溝が合致する回転位置でラッチの回転を許容し、ラッチ受けからの係止解除が可能となる。
【０００４】
【発明が解決しようとする課題】
しかし、上述した従来例において、内外タンブラを回転位置にセットした後、扉等を開扉し、再び閉扉した際には、内外タンブラは回転位置に停止したままであるために、利用者は再び回転摘みにより内外タンブラを回転操作してロック位置にセットする必要があり、面倒で、かつ、ロックし忘れが生じやすいという欠点を有する。
【０００５】
本発明は、以上の欠点を解消すべくなされたもので、アンロック状態のままで閉扉した際にも自動的にロック状態に移行する回転式施錠装置の提供を目的とする。
【０００６】
【課題を解決するための手段】
本発明によれば上記目的は、
ケース本体１から突出してラッチ受け２に係止する飛び出し位置と、飛び出し位置から回転してケース本体１内に収没する回転位置と、飛び出し位置からケース本体１内に収没する沈降位置との間で移動可能で、飛び出し位置側に付勢されるラッチ３と、
回転摘み４により回転操作され、解錠回転位置においてのみラッチ３の回転経路を開放してラッチ３の回転位置への移行を許容する回転ブロック体５と、
ラッチ３の往復動作により回転ブロック体５を間欠回転させてラッチ３の回転経路を閉鎖する間欠作動体６とを有し、
ラッチ受け２への係止操作時に施錠状態に自動移行させる回転式施錠装置を提供することにより達成される。
【０００７】
本発明において、ラッチ３は、飛び出し位置から回転位置、および沈降位置に移動可能にケース本体１に収納され、飛び出し位置においてラッチ受け２に係止して閉扉状態が維持される。
【０００８】
ラッチ３は適宜の付勢手段により飛び出し位置側に付勢されており、ラッチ受け２への係止は、飛び出し位置にあるラッチ３をラッチ受け２に押しつけることにより発生するケース本体１内への沈降方向、すなわち、垂直下方の分力によりラッチ３を一旦沈降位置に移行させた後、付勢手段の復元力により飛び出し位置に復帰させることにより弾発的に行われる。
【０００９】
さらに、ラッチ３は解錠時、回転位置においてケース本体１内に収没可能であり、閉扉状態において回転式施錠装置を開扉方向に引っ張った際に、ラッチ３は後方に回転して回転位置に移行して開扉される。
【００１０】
回転ブロック体５は、本体部内に回転可能に収納され、ラッチ３の回転経路を開放してラッチ３の回転位置への移行を許容する解錠回転位置以外においては、ラッチ３の回転経路を閉塞することによりラッチ３の回転動作をブロックする。回転式施錠装置のロック、アンロック状態は、上記回転ブロック体５によるラッチ３の回転位置への移行の禁止、許可状態に対応しており、例えば、回転ブロック体５を操作するための回転摘み４に回転ブロック体５の回転位置に対応した数字等を表示しておくことにより、所謂ダイヤル錠が構成される。
【００１１】
間欠作動体６は、ラッチ３の閉扉時における往復動により回転ブロック体５に間欠回転を与え、回転ブロック体５を解錠回転位置から施錠回転位置に移行させる。往復動作を間欠回転に変換するための機構は種々知られており、間欠作動体６は、これら周知の機構における往復動作部品として構成可能であり、例えば、図４、あるいは図７に示すように、外周壁に所定ピッチで送り爪５２が形成された回転ブロック体５を横切るように間欠作動体６をラッチ３の移動に追随させて移動させ、往路あるいは復路の一方でのみ送り爪５２を係止するように構成することが可能である。
【００１２】
なお、回転ブロック体５の回転操作は、ラッチ３の飛び出し位置から沈降位置への移行時であっても、あるいは沈降位置から飛び出し位置への復帰時であってもよいが、付勢手段による付勢力を利用する後者に比して、閉扉時の操作力を利用する前者の方が駆動力が大きなために、ラッチ３の飛び出し位置から沈降位置への移行時に回転ブロック体５を間欠回転させるのが望ましい。
【００１３】
したがって、本発明において、回転摘み４を操作して回転ブロック体５を解錠回転位置に回転させて開扉した後、閉扉操作をすると、ラッチ３はラッチ受け２に干渉して一旦沈降動作を行った後、再び飛び出し位置に移動してラッチ受け２に弾発係止する。この閉扉操作時におけるラッチ３の往復動作によって回転ブロック体５は間欠作動体６により間欠的に回転駆動されて施錠回転位置まで移行し、回転摘み４を何等操作することなく回転式施錠装置はロック状態に移行する。
【００１４】
前記回転ブロック体５は、一体のものとして構成することも可能であるが、請求項２に記載されるように、第１、第２の回転体５０、５１により構成してキイ違い数を増加させるのが望ましい。
【００１５】
すなわち、請求項２記載の発明において、回転ブロック体５は、回転摘み４に連結される第１の回転体５０と、第１の回転体５０に同心に配置され、第１の回転体５０に対して所定角度空転可能な第２の回転体５１とを有して構成される。第１、第２の回転体５０、５１の後端面、正確にはラッチ３に正対する面には切欠５０ａ、５１ａが形成され、第１、および第２の回転体５０、５１が各々解錠回転位置に移行した際に切欠５０ａ、５１ａがラッチ３に正対してラッチ３の回転位置への移行が許容される。
【００１６】
第１、および第２の回転体５０、５１への回転操作は、先ず、回転摘み４により第１の回転体５０を時計、あるいは反時計方向に回転させることにより行われる。回転摘み４による第１の回転体５０の回転操作は、第２の回転体５１との空転角度を越え、第１の回転体５０の回転に追随して第２の回転体５１が解錠回転位置になるまで行われ、次いで、回転摘み４を反対方向に回転させて第１の回転体５０を解錠回転位置にする。当該回転操作が第２の回転体５１との空転可能角度範囲内であるならば、当該回転操作により第２の回転体５１の回転位置は影響を受けることなく、第１、第２の回転体５０、５１の切欠５０ａ、５１ａをラッチ３に正対させることが可能となる。
【００１７】
回転式施錠装置を自動的にロック状態とするためには、第１、および第２の回転体５０、５１の双方を間欠作動体６により強制回転させる以外に、いずれか一方を間欠作動体６により強制回転させるように構成することも可能であり、この場合には、以下の理由により第２の回転体５１が強制回転させられる。すなわち、第２の回転体５１を解錠回転位置に導くための解錠コードは第１の回転体５０の回転位置を直接示す回転摘み４の表示記号からは判別することができず、しかも、第２の回転体５１の施錠回転位置まで回転した第２の回転体５１を再び解錠回転位置まで復帰させるためには、第１の回転体５０との空転可能範囲を越える回転量を回転摘み４に与えることが必要で、その後、第１の回転体５０を操作する必要があるために、第１の回転体５０のみを強制回転させた場合には、所定ピッチだけ回転させることによりアンロック状態に移行可能であるのに比して、防盗性を高めることが可能になる。
【００１８】
請求項３記載の発明において、第１、および第２の回転体５０、５１には、正多角形状のクリック発生部５０ｂ、５１ｂが形成され、クリック発生部５０ｂ、５１ｂをケース本体１内に配置される板バネ７に圧接させることによりケース本体１内で節度回転する。第１、および第２の回転体５０、５１を節度回転させることは、第１、第２の回転体５０、５１を所定角度位置に停止させる上で有効であり、さらに、節度回転による刻み角度を間欠作動体６の送りピッチに合致させることにより、アンロック状態への移行を確実にすることが可能になる。
【００１９】
第２の回転体５１に加えて第１の回転体５０も強制回転させることは防盗性の向上に有効であり、この場合、回転式施錠装置を請求項４記載のように構成することができる。
【００２０】
すなわち、請求項４記載の発明において、間欠作動体６はラッチ３に係止する係止部６０と、第１、および第２の回転体５０、５１に対応して設けられる一対の操作部６１、６１とを有し、ラッチ３の移動に伴って移動する。
【００２１】
操作部６１は、ラッチ３の飛び出し位置において、第１、および第２の回転体５０、５１の外周に形成された送り爪５２の回転軌道外に退避して第１、および第２の回転体５０、５１との干渉が防止され、ラッチ３の移動に伴って第１または第２の回転体５０、５１を横切り、移動経路上で送り爪５２に係止して第１、および第２の回転体５０、５１を同時に間欠回転させる。
【００２２】
上記第１、および第２の回転体５０、５１の回転方向は、操作部６１の配置により決定され、請求項５に記載されるように、操作部６１を第１、および第２の回転体５０、５１の回転中心を挟んで反対位置に配置した場合には、第１、および第２の回転体５０、５１を互いに逆回転させることが可能となる。
【００２３】
ラッチ３をケース本体１内に回転、および収納するためには、例えば、ラッチ３の側壁部に突設した回転ヒンジをケース本体１のガイド溝に沿って移動自在に嵌合させれば足り、さらに、ラッチ３を飛び出し位置に付勢するには、従来例として示した実公平６−１９００３号公報にも記載されるように、圧縮スプリングを使用すれば足りるが、請求項６に記載されるように構成することによって、構造をより簡単に、かつ、コンパクトにすることが可能になる。
【００２４】
すなわち、請求項６記載の発明において、ラッチ３は、ケース本体１に設けられ、飛び出し位置側のストローク終端を規制するガイド軸１０に沿って移動可能であり、かつ、ラッチ３は、ガイド軸１０に巻装され、飛び出し位置からの回転位置、および沈降位置への双方の移行方向に際して巻き込み方向に撓み変形するトーションスプリング８により飛び出し位置側に付勢される。
【００２５】
ガイド軸１０は、ケース本体１内に形成されるラッチ３の収納部に突出してラッチ３の移動をガイドするとともに、ラッチ３の飛び出し位置側のストローク終端を規制し、ラッチ３の飛び出し位置から回転位置への移行時における回転中心を提供する。
【００２６】
一方、ガイド軸１０回りに巻装されるトーションスプリング８は、飛び出し位置からの回転位置、および沈降位置への双方の移行方向に際して巻き込み方向に撓み変形するように巻方向、および支持点、作用点の位置が選択される。
【００２７】
したがって、請求項２記載の発明においては、ラッチ３の後方に圧縮スプリング等の収納スペースを設けることなく、付勢手段を配置することが可能となる。請求項７記載の発明において、扉体等への装着作業性が良好な回転式施錠装置が提案される。すなわち、請求項７記載の発明において、ケース本体１の後端面には係止ボス１１が突設され、図８に示すように、係止ボス１１とラッチ３とに掛けられる適宜の締結具９によりラッチ３を回転位置に拘束することができる。したがってこの発明において、ケース本体１から通常飛び出しているラッチ３が扉体等の施錠装置装着穴への挿入作業時に邪魔にならないために、
装着作業性を向上させることが可能になる。
【００２８】
【発明の実施の形態】
図１ないし図５に郵便受け用のダイヤル錠として構成された本発明の実施の形態を示す。回転式施錠装置は、筒状のケース本体１を有し、該ケース本体１の中空部には第１、および第２の回転体５０、５１からなる回転ブロック体５が挿入される。
【００２９】
第２の回転体５１は、中空筒状に形成され、鍔部５１ｃをケース本体１の座面１２に当接させてケース本体１内に空転自在に挿入される。この第２の回転体５１は、鍔部５１ｃの前方に正十角形のクリック発生部５１ｂを有し、クリック発生部５１ｂの平面部をケース本体１に対向して装着される一対の板バネ７、７に圧接させることによりクリック感を伴った節度回転を可能にしている。また、クリック発生部５１ｂの前端面には、カム突起５１ｄが突設される。
【００３０】
さらに、第２の回転体５１は鍔部５１ｃの後方にブロック部５１ｅを備える。ブロック部５１ｅの外周には、接線方向に延びるかわし面５２ａと法線方向に延びる送り面５２ｂとを有するＶ字状のノッチを等ピッチで刻んだ送り爪５２が形成される。また、ブロック部５１ｅには、後端面から前方に向けて、後述するラッチ３の板厚よりやや幅広の５１ａが形成される。
【００３１】
一方、第１の回転体５０は、上記第２の回転体５１の中空部に空転自在に挿入されるシャフト部５３と、回り止め部５３ａを介してシャフト部５３の先端に連結されるカム部５４とからなる。カム部５４は、フランジ５４ａがケース本体１の座面１３に支持されてケース本体１に対して回転自在とされ、その前面部には、後述する回転摘み４を連結するための連結部５４ｂが形成される。また、カム部５４の後端部には、ケース本体１への装着状態において、上記第２の回転体５１のクリック発生部５１ｂの前方に位置し、該第２の回転体５１のクリック発生部５１ｂと等しい正十角形のクリック発生部５０ｂが膨隆され、ケース本体１内の対向位置に装着される板バネ７にクリック発生部５０ｂの平面部を圧接させてクリック感を伴った節度回転を可能にしている。さらに、クリック発生部５０ｂの後端面には、第２の回転体５１のカム突起５１ｄに干渉可能で、干渉するまでの範囲において相互に空転可能範囲となるカム突起５０ｄが突設される。
【００３２】
なお、板バネ７は、図３に示すように、中央部に開口７０を設けて奥行き方向に２枚のブリッジ片７１、７１を構成し、各ブリッジ片を長手方向に並べられる第１、および第２の回転体５０、５１のクリック発生部５０ｂ、５１ｂに圧接させることによって、第１、および第２の回転体５０、５１が独立して確実に節度回転するように配慮される。
【００３３】
シャフト部５３は、回り止め部５３ａの後方にブロック部５０ｅを有し、該ブロック部５０ｅの後端面が第２の回転体５１のブロック部５１ｅの後端面と同一平面上に配置されるように第２の回転体５１に挿入される。このシャフト部５３のブロック部５０ｅには、第２の回転体５１のブロック部５１ｅと同様に送り爪５２と切欠５０ａが設けられる。
【００３４】
一方、ケース本体１の前面開口部には、キャップ体１４が固定される。キャップ体１４の正面壁は０から９までの数字が配置された文字盤とされており、セットリング１５を使用してケース本体１に固定される。また、このキャップ体１４は、ケース本体１への固定状態においてケース本体１側の位置決め突起１６に嵌合してケース本体１に対する相対回転が阻止されており、文字位置が妄りに変更されることがないようにされる。
【００３５】
上記キャップ体１４のさらに前方には、回転摘み４が配置される。回転摘み４は、裏面中心部をカム部５４の連結部５４ｂに嵌合させてカム部５４、およびシャフト部５３と一体化される。また、回転摘み４は正面部に表示窓４０を備え、該表示窓４０から示されるキャップ体１４の文字を確認してロック、アンロック操作が行われる。
【００３６】
以上のように構成される回転ブロック体５の後方には、後端面に係止ボス１１が突設されたテールピース１７を介してラッチ３が配置される。テールピース１７は図３において矢印で示す上下方向に貫通するラッチ収容溝１７ａを備える。このテールピース１７は、ケース本体１に設けられた取付孔１８内に圧入されてケース本体１に貫装されるガイド軸１０によりケース本体１に固定される。上記ラッチ収容溝１７ａは、下部のストッパブロック１７ｂを除いてテールピース１７の後方に向けて開放されており、ラッチ３の回転位置への移行スペースが確保される。
【００３７】
ラッチ３は中央部に上記ガイド軸１０が貫通する長孔３０が開設された板材であり、上端部にはラッチ受け２への係止面３１と傾斜面３２とが形成される。
上記ラッチ３の後方端面にはスプリング係止部３３が形成され、トーションスプリング８の連結脚８０が係止される。
【００３８】
トーションスプリング８は、連結脚８０を挟んで左右にコイルバネ部８１、８１を備えた所謂ダブルトーションスプリングであり、テールピース１７の後端面に開放されたスプリング収容部１７ｃ内に収容される。このトーションスプリング８はガイド軸１０周りに巻装され、連結脚８０によりラッチ３のスプリング係止部３３を後方から斜め上方（図１における矢印Ｆ方向）に付勢し、ラッチ３を長孔３０の下端がガイド軸１０に衝接する飛び出し位置に保持する。
【００３９】
さらに、上記テールピース１７の前面にはスプリングホルダ６２が装着され、テールピース１７前端面とスプリングホルダ６２との間に間欠作動体６が上下移動自在に保持される。間欠作動体６は、細径のバネ線材を折曲して形成され、先端に操作部６１が形成された一対の脚６３と、折り返し部に形成される係止部６０を備え、係止部６０をラッチ３の後方端面に切り欠かれた係止用切欠３４に係止させることによりラッチ３の垂直方向の移動に追随して上下移動する。間欠作動体６の操作部６１は、スプリングホルダ６２に形成されたガイド部６２ａから第１、および第２の回転体５０、５１のブロック部５０ｅ、５１ｅと操作部６１は、ラッチ３の飛び出し位置において、一方はケース本体１の内周壁と第２の回転体５１のブロック部５１ｅとの間に全周に渡って形成される間隙５５に待避するとともに、他方は第１の回転体５０のブロック部５０ｅと第２の回転体５１のブロック部５１ｅの内周壁との間に形成される間隙５５に待避しており、第１、第２の回転体５０、５１の回転操作への干渉が防がれる。
【００４０】
したがってこの実施の形態において、郵便受けの扉が閉じた状態では、ラッチ３はトーションスプリング８の反力を受けて、飛び出し位置に保持される。郵便受け側に設けられたラッチ受け２にラッチ３の係止面が当接した係止状態において回転式施錠装置が図４（ａ）に示すようにロック状態であれば、扉に開扉方向の力を与えても、ラッチ３の下端部が第１、および第２の回転体５０、５１のブロック部５０ｅ、５１ｅに当接しているために、ラッチ３の回転は規制され、ラッチ受け２からの係止解除はできない。
【００４１】
このロック状態から、回転摘み４を時計、あるいは反時計回りに回転させると、回転摘み４に連結された第１の回転体５０が節度感を伴って回転し、空転可能範囲を越えた回転をさらに第１の回転体５０に与えると、第１のカム突起５０ｄが第２の回転体５１のカム突起５１ｄに衝接し、以降、第２の回転体５１も回転摘み４と共に回転し、回転摘み４の表示窓４０に表示される数字等が第１解錠コードに合致する位置において、第２の回転体５１の切欠５１ａがラッチ３に正対する。次いで、回転摘み４を逆方向に回転させると、第１の回転体５０のみが第２の回転体５１との間で空転しながら節度回転し、回転摘み４の表示窓４０に表示される数字等が第２解錠コードに合致する位置において第１の回転体５０の切欠５０ａがラッチ３に正対する（図４（ｂ）参照）。
【００４２】
第１、第２の回転体５０、５１の切欠５０ａ、５１ａがラッチ３に正対することにより、ラッチ３は後方への回転が可能となり、この状態で扉を引くと、図６に示すように、ラッチ３がトーションスプリング８の反力に抗してガイド軸１０を回転中心として後方に回転しながらラッチ受け２との係止が解除される回転位置に移行し、ラッチ受け２との係止解除後にトーションスプリング８の復元力により原位置、すなわち飛び出し位置に復帰する。
【００４３】
この後、扉を再び閉扉すると、先ず、ラッチ３の傾斜面３２がラッチ受け２に衝接することからラッチ３には下方への押し付け力が発生し、ラッチ３はトーションスプリング８を巻き込み方向に撓ませながらケース本体１内に収没するように垂直移動する。ラッチ３の下方への移動に追随して間欠作動体６も図７（ｃ）に示すように、追随して下方に移動し、間欠作動体６の操作部６１はスプリングホルダ６２のガイド部６２ａにガイドされながら、直線的に下方に移動する。
【００４４】
操作部６１は第１の回転体５０、あるいは第２の回転体５１を横切る経路を取って下方に移動し、移動経路上で送り爪５２の送り面５２ｂを係止し、第１、および第２の回転体５０、５１を所定角度回転させ、第１、および第２の回転体５０、５１は節度ピッチ近傍において、板バネ７により節度を与えられ、所定の節度位置に停止する。
【００４５】
ラッチ３がケース本体１内方に沈降してラッチ３の先端がラッチ受け２を越えると、ラッチ３はトーションスプリング８の反力により再び飛び出し位置に復帰し、ラッチ受け２に弾発係止する。ラッチ３がラッチ受け２を越える沈降位置から飛び出し位置に復帰する際には、脚６３が僅かに弾性変形しながら間欠作動体６の操作部６１が送り爪５２のかわし面５２ａ上を摺接して上方に移動するために、第１、および第２の回転体５０、５１には僅かに回転トルクが与えられるが、この回転トルクは、節度位置を乗り越える回転トルクに比較して十分に小さなために、第１、および第２の回転体５０、５１は、操作部６１の復路では回転することはなく、往路での回転位置に停止する。
【００４６】
第１、および第２の回転体５０、５１の回転により、これらのブロック部５０ｅ、５１ｅに形成された切欠５０ａ、５１ａはラッチ３との正対位置から所定角度回転することとなり、ラッチ３の回転経路はブロック部５０ｅ、５１ｅにより閉鎖されて自動的にロック状態に移行する。
【００４７】
以上のように構成される本発明の回転式施錠装置は、図８に示すように、ラッチ３を後方に回転させた状態で、ラッチ３とテールピース１７の係止ボス１１を金属リング等の締結具９により締結した状態で搬送、保管することができる。これを扉体２０に取り付ける際には、扉体２０の取付穴２１に締結具９が装着されたまま挿入し、次いで、取付ナット２２を扉体の裏面から装着し、さらに、締結具９を切断等して取り除けばよい。
【００４８】
【発明の効果】
以上の説明より明らかなように、本発明によれば、アンロック状態のままで再び閉扉するだけで、自動的にロック状態に移行するために、ロック忘れ等を確実に防止することができる。
【図面の簡単な説明】
【図１】本発明を示す断面図である。
【図２】図１の斜視図である。
【図３】図１の分解斜視図である。
【図４】図１のＡ−Ａ線断面図で、（ａ）は施錠回転位置にある回転ブロック体を示す図、（ｂ）は解錠回転位置にある回転ブロック体を示す図である。
【図５】図１の詳細を示す図で、（ａ）は図１のＢ−Ｂ線断面図、（ｂ）は図１のＣ方向矢視図である。
【図６】ラッチ受けからの係止解除状態を示す要部断面図である。
【図７】ラッチの沈降位置を示す図で、（ａ）は要部断面図、（ｂ）は解錠状態における回転ブロック体と間欠作動体の関係を示す説明図、（ｃ）はラッチが沈降位置に移行したときの回転ブロック体と間欠作動体の関係を示す説明図である。
【図８】本発明品の搬送状態を示す側面図である。
【符号の説明】
１      ケース本体
１０    ガイド軸
１１    係止ボス
２      ラッチ受け
３      ラッチ
４      回転摘み
５      回転ブロック体
５０    第１の回転体
５０ａ  切欠
５０ｂ  クリック発生部
５１    第２の回転体
５１ａ  切欠
５１ｂ  クリック発生部
５２    送り爪
６      間欠作動体
６０    係止部
６１    操作部
７      板バネ
８      トーションスプリング
９      締結具
【図１】
0003743942.tif 000002
【図２】
0003743942.tif 000003
【図３】
0003743942.tif 000004
【図４】
0003743942.tif 000005
【図５】
0003743942.tif 000006
【図６】
0003743942.tif 000007
【図７】
0003743942.tif 000008
【図８】
0003743942.tif 000009